(57)【要約】【課題】  短時間で三つの要素色及びそれらを補完する任意の色に対応する画像信号を生成する画像処理装置を提供する。【解決手段】  本発明の画像処理装置における処理は、色度計算手段によって行われる色度計算ステップＳ１０１、色度拡張判定手段によって行われる色度拡張判定ステップＳ１０２、色度拡張手段によって行われる色度拡張ステップＳ１０３及び画像信号生成手段によって行われる四要素色画像信号生成ステップＳ１０４で構成される。【選択図】    図１
2006086924.tif 000002
【特許請求の範囲】
【請求項１】
三つの要素色に加え、該三つの要素色を補完する任意の色に対応する画像信号を生成する画像処理装置において、入力された該三つの要素色に対応する画像信号から色度を計算する色度計算手段と、該色度計算手段によって計算された色度に基づいて色度を拡張するか否かを判定する色度拡張判定手段と、色度拡張手段と、該色度計算手段又は該色度拡張手段によって計算された色度から該三つの要素色及び該三つの要素色を補完する任意の色に対応する画像信号を生成する画像信号生成手段とを含むことを特徴とする画像処理装置。
【請求項２】
請求項１記載の画像処理装置において、前記色度拡張判定手段は、前記三つの要素色の中で、前記三つの要素色を補完する任意の色からの色度の距離が短い二つの要素色の色度と、白色の色度とで囲まれる領域に色度が位置する画像信号に対して色度の拡張を行う判定をすることを特徴とする画像処理装置。
【請求項３】
請求項１及び２記載の画像処理装置において、前記色度拡張手段は白色の色度からの距離に応じて色度の拡張を行うことを特徴とする画像処理装置。
【請求項４】
請求項１及至３記載の画像処理装置において、前記色度拡張手段は色度の拡張をする前後で輝度を保存することを特徴とする画像処理装置。
【請求項５】
請求項１及至４記載の画像処理装置を含むことを特徴とする電子機器。
【発明の詳細な説明】
【技術分野】
【０００１】
本発明は画像処理装置及び電子機器に関する。より詳しくは、三つの要素色に加えそれらを補完する任意の色を要素色として含み、それぞれの色に対応する波長分布を有する光を出力するか又は透過させる電気光学素子を含む複数の副画素によって構成される画素が、行列状に配置され、各副画素が出力するか又は透過させる光の強度を制御することにより、画素が出力するか又は透過させる光の波長分布及び強度を制御する電気光学装置に入力される画像信号を生成する画像処理装置及びそれを搭載した電子機器に関する。
【背景技術】
【０００２】
S.Roth,I.Ben-David,M.Ben-Chorin,D.Eliav and O.Ben-David,"Wide Gamut, High Brightness Multiple Primaries Single Panel Projection Displays",SID'03 Digest,pp.118-121(2003)には、単板方式の投射型表示装置において赤、緑及び青の要素色以外にもそれらを補完する任意の色を追加することで電気光学装置の色再現空間を広げる広色域化技術が公開されている。
【０００３】
電気光学装置で再現すべき画像信号は赤、緑及び青の副画素における光の強度に対応するデジタル信号で構成されており、新たに赤、緑及び青の要素色及びそれらを補完する任意の色に対応する画像信号を画像処理装置において生成する必要がある。
【０００４】
【非特許文献１】S.Roth,I.Ben-David,M.Ben-Chorin,D.Eliav and O.Ben-David,"Wide Gamut, High Brightness Multiple Primaries Single Panel Projection Displays",SID'03 Digest,pp.118-121(2003)
【発明の開示】
【発明が解決しようとする課題】
【０００５】
しかしながら、その生成過程では画像信号の一貫性を保ち、画質の低下を防ぐために追加した要素色と色度の距離が大きく相関の小さい画像信号及び白色の画像信号の色度は保存されることが望ましい。又、その際輝度も保存されることが望ましい。このような条件の下、三つの要素色に対応する画像信号及び追加した要素色に対応する画像信号を生成するためには自明な解を持たない連立方程式を解かなくてはならず、拘束条件を追加するなどの煩雑な処理が必要であった。このため動画像において処理すべき時間内に処理が終わらないなどの課題が生じていた。又、これを解決するために全ての入力画像信号に対する処理結果を予め記憶装置に記憶させておく技術も同文献に公開されているが、大容量の記憶装置が必要であること及び記憶装置からの信号の読み出しが処理すべき時間内に終わらないなどの課題が生じていた。
【０００６】
そこで、本発明は上述の諸事情に鑑みなされたものであり、短時間で三つの要素色及びそれらを補完する任意の色に対応する画像信号を生成する画像処理装置を提供することを課題とし、更にはそれを搭載した電子機器を提供することも課題とする。
【課題を解決するための手段】
【０００７】
上述の課題を解決するため、本発明の画像処理装置は三つの要素色に加え、三つの要素色を補完する任意の色に対応する画像信号を生成する画像処理装置であって、入力された三つの要素色に対応する画像信号から色度を計算する色度計算手段と、色度計算手段によって計算された色度に基づいて色度を拡張するか否かを判定する色度拡張判定手段と、色度拡張手段と、色度計算手段又は色度拡張手段によって計算された色度から三つの要素色及び三つの要素色を補完する任意の色に対応する画像信号を生成する画像信号生成手段とを含むことを特徴とする。
【０００８】
色度拡張判定手段は、三つの要素色の中で、三つの要素色を補完する任意の色からの色度の距離が短い二つの要素色の色度と、白色の色度とで囲まれる領域に色度が位置する画像信号に対して色度の拡張を行う判定をすることが望ましい。
【０００９】
又、色度拡張手段は白色の色度からの距離に応じて色度の拡張を行うことが望ましい。
【００１０】
更に、色度拡張手段は色度の拡張をする前後で輝度を保存することが望ましい。
【００１１】
又、本発明の電子機器は、本発明の画像処理装置を含むことを特徴とする。
【発明の効果】
【００１２】
本発明の画像処理装置によれば、三つの要素色を補完する任意の色からの色度の距離が大きく相関の小さい画像信号及び白色の画像信号の色度を保存し、更にその際輝度も保存するという条件の下、三つの要素色及びそれらを補完する任意の色に対応する画像信号の生成を短時間で行うことが可能となる。
【発明を実施するための最良の形態】
【００１３】
［実施例１］
【００１４】
図１は本発明の第一実施形態の画像処理装置１００における処理のフローチャートを示した図である。ここでは赤、緑及び青の三つの要素色に対応する画像信号(DR,DG,DB)が入力され、三つの要素色及びそれらを補完する一つの任意の色に対応する画像信号(D'R,D'G,D'B,D'A)が出力される例を示した。Ｓ１０１は色度計算手段によって行われる色度計算ステップであり、ここでは入力された三つの要素色に対応する画像信号から色度を計算する。Ｓ１０２は色度拡張判定手段によって行われる色度拡張判定ステップであり、ここでは色度計算手段によって計算された色度に基づいて色度を拡張するか否かを判定する。本ステップにおいて色度の拡張を行うと判定された画像信号は色度拡張手段に送られ、そうでない画像信号は色度拡張手段を迂回して画像信号生成手段に送られる。Ｓ１０３は色度拡張手段によって行われる色度拡張ステップであり、ここでは色度拡張判定手段により色度の拡張を行うと判定された画像信号に対して色度の拡張を行う。Ｓ１０４は画像信号生成手段によって行われる四要素色画像信号生成ステップであり、色度計算手段又は色度拡張手段によって計算された色度から出力される三つの要素色及びそれらを補完する任意の色に対応する画像信号を生成する。以上が本発明の画像処理装置における処理のフローチャートの説明である。以下ではフローチャートに含まれる各ステップについて詳細に説明する。
【００１５】
色度計算ステップＳ１０１では入力された三つの要素色に対応する画像信号から式(１)ａ〜ｃを用いてＣＩＥＸＹＺ空間における座標を計算する。
2006086924.tif 000003
【００１６】
ただし、gmaxは入力された三つの要素色に対応する画像信号の最大値であり、γは電気光学装置に設定されたガンマ値である。又、(XR,YR,ZR)は赤の要素色の最大出力時におけるＣＩＥＸＹＺ空間における座標、(XG,YG,ZG)は緑の要素色の最大出力時におけるＣＩＥＸＹＺ空間における座標及び(XB,YB,ZB)は青の要素色の最大出力時におけるＣＩＥＸＹＺ空間における座標である。
【００１７】
次に計算されたＣＩＥＸＹＺ空間における座標からｘｙ色度を式(２)を用いて計算する。
2006086924.tif 000004
【００１８】
以上が色度計算手段によって行われる色度計算ステップＳ１０１の説明である。
【００１９】
次に色度拡張判定ステップＳ１０２では、Ｓ１０１で計算されたｘｙ色度に基づいて色度拡張判定を行う。ここでは三つの要素色の中で、三つの要素色を補完する任意の色からの色度の距離が短い二つの要素色の色度と、白色の色度とで囲まれる領域に色度が位置する画像信号に対して色度の拡張を行う判定をする。図２に色度判定の内容を表す模式図を示した。図２において、R(xR,yR)は赤の要素色のｘｙ色度、G(xG,yG)は緑の要素色のｘｙ色度、B(xB,yB)は青の要素色のｘｙ色度、W(xW,yW)は白の要素色のｘｙ色度、A(xA,yA)は赤及び青の要素色を補完する任意の色のｘｙ色度及びC(x,y)は入力された三つの要素色に対応する画像信号のｘｙ色度である。この場合、色度図上でＡ点との距離が短い二つの要素色の色度はＲ点及びＢ点である。従って、本ステップでは斜線で示されたＷ点と、Ｒ点と、Ｂ点とを結んだ三角形の領域に、Ｓ１０１で計算された画像信号の色度が位置する場合に色度拡張を行う判定をする。
【００２０】
又、図３には要素色を補完する色が、青及び緑の要素色を補完する任意の色である場合の色度拡張判定の内容を表す模式図を示した。図３において、R(xR,yR)は赤の要素色のｘｙ色度、G(xG,yG)は緑の要素色のｘｙ色度、B(xB,yB)は青の要素色のｘｙ色度、W(xW,yW)は白の要素色のｘｙ色度、A(xA,yA)は青及び緑の要素色を補完する任意の色のｘｙ色度及びC(x,y)は入力された三つの要素色に対応する画像信号のｘｙ色度である。この場合、色度図上でＡ点との距離が短い二つの要素色の色度はＢ点及びＧ点である。従って、本ステップでは斜線で示されたＷ点と、Ｂ点と、Ｇ点とを結んだ三角形の領域に、Ｓ１０１で計算された画像信号の色度が位置する場合に色度拡張を行う判定をする。
【００２１】
又、図４には要素色を補完する色が、緑及び赤の要素色を補完する任意の色である場合の色度拡張判定の内容を表す模式図を示した。図４において、R(xR,yR)は赤の要素色のｘｙ色度、G(xG,yG)は緑の要素色のｘｙ色度、B(xB,yB)は青の要素色のｘｙ色度、W(xW,yW)は白の要素色のｘｙ色度、A(xA,yA)は緑及び赤の要素色を補完する任意の色のｘｙ色度及びC(x,y)は入力された三つの要素色に対応する画像信号のｘｙ色度である。この場合、色度図上でＡ点との距離が短い二つの要素色の色度はＧ点及びＲ点である。従って、本ステップでは斜線で示されたＷ点と、Ｇ点と、Ｒ点とを結んだ三角形の領域に、Ｓ１０１で計算された画像信号の色度が位置する場合に色度拡張を行う判定をする。
【００２２】
上述した色度拡張判定により、三つの要素色を補完する任意の色と色度の距離が大きく相関の小さい画像信号、ここでは色度がＷ点と、Ｒ点と、Ｇ点、Ｂ点とで囲まれた四角形の領域に位置する画像信号に対しては色度の拡張が行われないため、色度を保存することが可能となる。
【００２３】
次に色度拡張ステップＳ１０３では、Ｓ１０２において色度の拡張を行うと判定された画像信号の色度を、色度の拡張前後で輝度を一定に保ちながら、白色の色度からの距離に応じて色度の拡張を行う。
【００２４】
図５ａに要素色を補完する色が、赤及び青の要素色を補完する任意の色である場合の色度拡張の内容を表す模式図を示した。図５ａにおいて、αは半直線ＷＣと線分ＲＢとの交点とＷ点との距離、βは半直線ＷＣと線分ＡＢとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。
【００２５】
これにより、Ｗ点に色度が位置する画像信号に対しては色度の拡張が実際上行われないため、白色の画像信号の色度を保存することが可能となる。
【００２６】
次に拡張されたＣ'点の色度に対応するＣＩＥＸＹＺ空間における座標(X',Y',Z')を式(３)を用いて計算する。
2006086924.tif 000005
【００２７】
(３)に示したように、色度の拡張前後でＣＩＥＸＹＺ空間における座標のＹ座標の値は不変である。これにより、色度の拡張前後で輝度を保存することが可能となる。
【００２８】
図５ａにおいては、半直線ＷＣが線分ＡＢと交わる場合の説明をしたが、Ｃ点の位置によってはそれらが交わらない場合もある。そこで、図５ｂを用いて半直線ＷＣが線分ＡＢと交わらず、線分ＡＲと交わる場合の色度の拡張について説明する。
【００２９】
図５ｂに色度拡張の内容を表す模式図を示した。図５ｂにおいて、αは半直線ＷＣと線分ＲＢとの交点とＷ点との距離、βは半直線ＷＣと線分ＡＲとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。これ以降は上述の半直線ＷＣが線分ＡＢと交わる場合と同様に、Ｃ'点の色度に対応するＣＩＥＸＹＺ空間における座標(X',Y',Z')の計算を行えば良いため、説明を省略する。
【００３０】
図６ａに要素色を補完する色が、青及び緑の要素色を補完する任意の色である場合の色度拡張の内容を表す模式図を示した。図６ａにおいて、αは半直線ＷＣと線分ＢＧとの交点とＷ点との距離、βは半直線ＷＣと線分ＡＢとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。そして、拡張されたＣ'点の色度に対応するＣＩＥＸＹＺ空間における座標(X',Y',Z')を式(３)を用いて計算する。
【００３１】
図６ａにおいては、半直線ＷＣが線分ＡＢと交わる場合の説明をしたが、Ｃ点の位置によってはそれらが交わらない場合もある。そこで、図６ｂを用いて半直線ＷＣが線分ＡＢと交わらず、線分ＡＧと交わる場合の色度の拡張について説明する。
【００３２】
図６ｂに色度拡張の内容を表す模式図を示した。図６ｂにおいて、αは半直線ＷＣと線分ＢＧとの交点とＷ点との距離、βは半直線ＷＣと線分ＡＧとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。これ以降は上述の半直線ＷＣが線分ＡＢと交わる場合と同様に、Ｃ'点の色度に対応するＣＩＥＸＹＺ空間における座標(X',Y',Z')の計算を行えば良いため、説明を省略する。
【００３３】
図７ａに要素色を補完する色が、緑及び赤の要素色を補完する任意の色である場合の色度拡張の内容を表す模式図を示した。図７ａにおいて、αは半直線ＷＣと線分ＧＲとの交点とＷ点との距離、βは半直線ＷＣと線分ＡＲとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。そして、拡張されたＣ'点の色度に対応するＣＩＥＸＹＺ空間における座標(X',Y',Z')を式(３)を用いて計算する。
【００３４】
図７ａにおいては、半直線ＷＣが線分ＡＲと交わる場合の説明をしたが、Ｃ点の位置によってはそれらが交わらない場合もある。そこで、図７ｂを用いて半直線ＷＣが線分ＡＲと交わらず、線分ＡＧと交わる場合の色度の拡張について説明する。
【００３５】
図７ｂに色度拡張の内容を表す模式図を示した。図７ｂにおいて、αは半直線ＷＣと線分ＧＲとの交点とＷ点との距離、βは半直線ＷＣと線分ＡＧとの交点とＷ点との距離及びC'(x',y')はＣ点に対して色度の拡張を行った後の色度である。色度拡張手段によってＣ点は、半直線ＷＣ上にあってＷ点との距離がＷ点とＣ点との距離のβ／α倍となるＣ'点に拡張される。これ以降は上述の半直線ＷＣが線分ＡＲと交わる場合と同様に、Ｃ'点の色度に対応するＣＩＥＸＹＺ空間における座標(X',Y',Z')の計算を行えば良いため、説明を省略する。
【００３６】
最後に四要素色画像信号生成ステップＳ１０４ではＳ１０１又はＳ１０３で計算されたｘｙ色度及びＣＩＥＸＹＺ空間における座標から、三つの要素色及びそれらを補完する任意の色に対応する画像信号(D'R,D'G,D'B,D'A)を生成する。
【００３７】
図８に要素色を補完する色が、赤及び青の要素色を補完する任意の色である場合の四要素色画像信号生成の内容を表す模式図を示した。入力された三つの要素色に対応する画像信号のｘｙ色度がＲ点と、Ｇ点と、Ｂ点と、Ｗ点とを結んだ四角形の領域に位置する画像信号に対しては、色度の拡張が行われていないため新たに出力される三つの要素色に対応する画像信号を生成する必要はなく、入力された画像信号をそのまま出力すれば良い。ただし、出力される三つの要素色を補完する任意の色に対応する画像信号としては新たに０を生成する必要がある。従ってこの場合、式(４)ａ〜ｄを用いて画像信号の生成を行う。
2006086924.tif 000006
【００３８】
次に入力された三つの要素色に対応する画像信号のｘｙ色度がＲ点と、Ｗ点と、Ｂ点とを結ぶ斜線で示した三角形の領域に位置する画像信号に対しては色度の拡張が行われているため、新たに出力される三つの要素色及びそれらを補完する任意の色に対応する画像信号を生成する必要がある。ただし、この領域がＲ点と、Ｇ点と、Ｂ点とを結ぶ三角形の領域に含まれており、この領域に位置する色は三つの要素色で再現することが可能であるため、三つの要素色を補完する任意の色に対応する画像信号としては０を生成すればよい。従って、出力される三つの要素色に対応する画像信号は式(５)ａ〜ｃの連立方程式を解くことで求められる。又、三つの要素色を補完する任意の色に対応する画像信号は式(５)ｄに示したように０とする。
2006086924.tif 000007
【００３９】
次に入力された三つの要素色に対応する画像信号のｘｙ色度がＲ点と、Ａ点と、Ｂ点とを結ぶ三角形の領域に位置する画像信号に対しては色度の拡張が行われているため、新たに出力される三つの要素色及びそれらを補完する任意の色に対応する画像信号を生成する必要がある。ただし、この領域がＲ点と、Ａ点と、Ｂ点とを結ぶ三角形の領域に含まれており、この領域に位置する色は赤、青及び三つの要素色を補完する任意の色で再現することが可能であるため、緑色に対応する画像信号に対しては０を生成すればよい。従って、赤、青及び三つの要素色を補完する任意の色に対応する画像信号は式(６)ａ〜ｃの連立方程式を解くことで求められる。又、緑色に対応する画像信号DG'は式(６)ｄに示したように０とする。
2006086924.tif 000008
【００４０】
又、図９に要素色を補完する色が、青及び緑の要素色を補完する任意の色である場合の四要素色画像信号生成の内容を表す模式図を示した。入力された三つの要素色に対応する画像信号のｘｙ色度がＲ点と、Ｇ点と、Ｗ点と、Ｂ点とを結んだ四角形の領域に位置する画像信号に対しては、色度の拡張が行われていないため新たに出力される三つの要素色に対応する画像信号を生成する必要はなく、入力された画像信号をそのまま出力すれば良い。ただし、出力される三つの要素色を補完する任意の色に対応する画像信号としては新たに０を生成する必要がある。従ってこの場合、式(４)ａ〜ｄを用いて画像信号の生成を行う。
【００４１】
次に入力された三つの要素色に対応する画像信号のｘｙ色度がＢ点と、Ｗ点と、Ｇ点とを結ぶ斜線で示した三角形の領域に位置する画像信号に対しては色度の拡張が行われているため、新たに出力される三つの要素色及びそれらを補完する任意の色に対応する画像信号を生成する必要がある。ただし、この領域がＲ点と、Ｇ点と、Ｂ点とを結ぶ三角形の領域に含まれており、この領域に位置する色は三つの要素色で再現することが可能であるため、三つの要素色を補完する任意の色に対応する画像信号としては０を生成すればよい。従って、出力される三つの要素色に対応する画像信号は式(５)ａ〜ｃの連立方程式を解くことで求められる。又、三つの要素色を補完する任意の色に対応する画像信号は式(５)ｄに示したように０とする。
【００４２】
次に入力された三つの要素色に対応する画像信号のｘｙ色度がＢ点と、Ａ点と、Ｇ点とを結ぶ三角形の領域に位置する画像信号に対しては色度の拡張が行われているため、新たに出力される三つの要素色及びそれらを補完する任意の色に対応する画像信号を生成する必要がある。ただし、この領域がＢ点と、Ａ点と、Ｇ点とを結ぶ三角形の領域に含まれており、この領域に位置する色は青、緑及び三つの要素色を補完する任意の色で再現することが可能であるため、赤色に対応する画像信号に対しては０を生成すればよい。従って、青、緑及び三つの要素色を補完する任意の色に対応する画像信号は式(７)ａ〜ｃの連立方程式を解くことで求められる。又、赤色に対応する画像信号DR'は式(７)ｄに示したように０とする。
2006086924.tif 000009
【００４３】
又、図１０に要素色を補完する色が、緑及び赤の要素色を補完する任意の色である場合の四要素色画像信号生成の内容を表す模式図を示した。入力された三つの要素色に対応する画像信号のｘｙ色度がＲ点と、Ｗ点と、Ｇ点と、Ｂ点とを結んだ四角形の領域に位置する画像信号に対しては、色度の拡張が行われていないため新たに出力される三つの要素色に対応する画像信号を生成する必要はなく、入力された画像信号をそのまま出力すれば良い。ただし、出力される三つの要素色を補完する任意の色に対応する画像信号としては新たに０を生成する必要がある。従ってこの場合、式(４)ａ〜ｄを用いて画像信号の生成を行う。
【００４４】
次に入力された三つの要素色に対応する画像信号のｘｙ色度がＧ点と、Ｗ点と、Ｒ点とを結ぶ斜線で示した三角形の領域に位置する画像信号に対しては色度の拡張が行われているため、新たに出力される三つの要素色及びそれらを補完する任意の色に対応する画像信号を生成する必要がある。ただし、この領域がＲ点と、Ｇ点と、Ｂ点とを結ぶ三角形の領域に含まれており、この領域に位置する色は三つの要素色で再現することが可能であるため、三つの要素色を補完する任意の色に対応する画像信号としては０を生成すればよい。従って、出力される三つの要素色に対応する画像信号は式(５)ａ〜ｃの連立方程式を解くことで求められる。又、三つの要素色を補完する任意の色に対応する画像信号は式(５)ｄに示したように０とする。
【００４５】
次に入力された三つの要素色に対応する画像信号のｘｙ色度がＧ点と、Ａ点と、Ｒ点とを結ぶ三角形の領域に位置する画像信号に対しては色度の拡張が行われているため、新たに出力される三つの要素色及びそれらを補完する任意の色に対応する画像信号を生成する必要がある。ただし、この領域がＧ点と、Ａ点と、Ｒ点とを結ぶ三角形の領域に含まれており、この領域に位置する色は緑、赤及び三つの要素色を補完する任意の色で再現することが可能であるため、青色に対応する画像信号に対しては０を生成すればよい。従って、緑、赤及び三つの要素色を補完する任意の色に対応する画像信号は式(８)ａ〜ｃの連立方程式を解くことで求められる。又、青色に対応する画像信号DB'は式(８)ｄに示したように０とする。
2006086924.tif 000010
【００４６】
更に要素色を補完する色が複数の場合は、上述した要素色を補完する色が赤及び青の要素色を補完する任意の色である場合、要素色を補完する色が青及び緑の要素色を補完する任意の色である場合及び要素色を補完する色が緑及び赤の要素色を補完する任意の色である場合を単に組み合わせれば良い。
【００４７】
次に、上述した実施形態に係る画像処理装置を電子機器に用いた例について図１１、図１２及び図１３を参照して説明する。
【００４８】
先ず、上述した画像処理装置を、モバイル型コンピュータの表示部に適用した例について説明する。図１１は、この構成を示す斜視図である。図１１において、コンピュータ１１００は、キーボード１１０１を備えた本体部１１０２と、上述した画像処理装置を用いた表示装置１１０３とを備えている。
【００４９】
次に、上述した画像処理装置を、携帯電話の表示部に適用した例について説明する。図１２は、この構成を示す斜視図である。図１２において、携帯電話１２００は、複数の操作ボタン１２０１のほか、受話口１２０２、送話口１２０３とともに、上述した画像処理装置を用いた表示装置１２０４を備えるものである。
【００５０】
次に、上述した画像処理装置を、ファインダに用いたデジタルスチルカメラについて説明する。図１３は、この構成を背面から示す斜視図である。デジタルスチルカメラ１３００におけるケース１３０２の背面には、上述した画像処理装置を用いた表示装置１３０３が設けられ、ケース１３０２の前面に設けられたＣＣＤによる撮像信号に基づいて、表示を行うようになっている。即ち、表示装置１３０３は、被写体を表示するファインダとして機能することになる。
【００５１】
なお、電子機器としては、これらの他、有機エレクトロルミネッセンステレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【００５２】
本発明は、上述した実施形態に限られるものではなく、請求の範囲及び明細書全体から読み取れる発明の要旨、あるいは思想に反しない範囲で適宜変更可能であり、そのような変更を伴う電気光学装置の駆動回路及び方法、並びに電子機器もまた、本発明の技術的範囲に含まれるものである。
【図面の簡単な説明】
【００５３】
【図１】第一実施形態の画像処理装置における処理のフローチャート。
【図２】要素色を補完する色が、赤及び青の要素色を補完する任意の色である場合の色度拡張判定の内容を表す模式図。
【図３】要素色を補完する色が、青及び緑の要素色を補完する任意の色である場合の色度拡張判定の内容を表す模式図。
【図４】要素色を補完する色が、緑及び赤の要素色を補完する任意の色である場合の色度拡張判定の内容を表す模式図。
【図５】要素色を補完する色が、赤及び青の要素色を補完する任意の色である場合の色度拡張の内容を表す模式図。
【図６】要素色を補完する色が、青及び緑の要素色を補完する任意の色である場合の色度拡張の内容を表す模式図。
【図７】要素色を補完する色が、緑及び赤の要素色を補完する任意の色である場合の色度拡張の内容を表す模式図。
【図８】要素色を補完する色が、赤及び青の要素色を補完する任意の色である場合の四要素色画像信号生成の内容を表す模式図。
【図９】要素色を補完する色が、青及び緑の要素色を補完する任意の色である場合の四要素色画像信号生成の内容を表す模式図。
【図１０】要素色を補完する色が、緑及び赤の要素色を補完する任意の色である場合の四要素色画像信号生成の内容を表す模式図。
【図１１】画像処理装置装置を、モバイル型コンピュータの表示部に適用した例の構成を示す斜視図。
【図１２】画像処理装置装置を、携帯電話の表示部に適用した例の構成を示す斜視図。
【図１３】画像処理装置装置を、ファインダに用いたデジタルスチルカメラに適用した例の構成を示す斜視図。
【符号の説明】
【００５４】
Ｓ１０１…色度計算ステップ  Ｓ１０２…色度拡張判定ステップ  Ｓ１０３…色度拡張ステップ  Ｓ１０４・・・四要素色画像信号生成ステップ。
【図１】
2006086924.tif 000011
【図２】
2006086924.tif 000012
【図３】
2006086924.tif 000013
【図４】
2006086924.tif 000014
【図５】
2006086924.tif 000015
【図６】
2006086924.tif 000016
【図７】
2006086924.tif 000017
【図８】
2006086924.tif 000018
【図９】
2006086924.tif 000019
【図１０】
2006086924.tif 000020
【図１１】
2006086924.tif 000021
【図１２】
2006086924.tif 000022
【図１３】
2006086924.tif 000023